Podtech/llm-jp-corpus-v4-ja_patent huggingface dataset:
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
遊技動作の進行制御を行う制御手段と、
前記制御手段による情報の読み出し及び書き込みが可能とされた記憶手段と、を備え、
前記制御手段は、
遊技者に有利な遊技状態に当選させるか否かの確率に関する設定値を操作に基づき設定する設定手段と、
前記記憶手段における前記設定値を含む記憶情報の異常判定処理を行う異常判定手段と、
前記設定値の設定を受け付けるモードである設定受付モードへの移行指示操作の有無を判定する移行条件判定処理を行う設定受付移行判定手段と、を有すると共に、
電源投入に伴う起動時において、前記異常判定手段による前記異常判定処理よりも先に、前記設定受付移行判定手段による前記移行条件判定処理を行い、前記移行条件判定処理により前記移行指示操作が行われていないと判定した場合に、前記異常判定処理を行い、
前記移行条件判定処理により前記移行指示操作が行われたと判定した場合に、前記記憶手段における前記設定値の異常有無を判定し、異常が認められた場合に前記設定値の表示値を補正する設定値補正手段を有する
遊技機。
【手続補正２】
【補正対象書類名】明細書
【補正対象項目名】０００５
【補正方法】変更
【補正の内容】
【０００５】
ここで、遊技機としては、遊技興趣を高めるために多種多様な演出を実現する等、ＣＰＵ（Central Processing Unit）が実行すべき処理が増大する傾向にあり、可能な限り処理負担の軽減を図ることが要請されている。
また、遊技機としては、上記のように設定値を操作に基づき設定可能とされたものがあるが、この種の遊技機では、設定値を何らかの手段で改竄する不正が行われる可能性がある。
【手続補正３】
【補正対象書類名】明細書
【補正対象項目名】０００６
【補正方法】変更
【補正の内容】
【０００６】
本発明は上記事情に鑑み為されたものであり、設定値を操作に基づき設定可能な遊技機において、不正防止を図りつつ処理負担の軽減を図ることを目的とする。
【手続補正４】
【補正対象書類名】明細書
【補正対象項目名】０００７
【補正方法】変更
【補正の内容】
【０００７】
本発明に係る遊技機は、遊技動作の進行制御を行う制御手段と、前記制御手段による情報の読み出し及び書き込みが可能とされた記憶手段と、を備え、前記制御手段は、遊技者に有利な遊技状態に当選させるか否かの確率に関する設定値を操作に基づき設定する設定手段と、前記記憶手段における前記設定値を含む記憶情報の異常判定処理を行う異常判定手段と、前記設定値の設定を受け付けるモードである設定受付モードへの移行指示操作の有無を判定する移行条件判定処理を行う設定受付移行判定手段と、を有すると共に、電源投入に伴う起動時において、前記異常判定手段による前記異常判定処理よりも先に、前記設定受付移行判定手段による前記移行条件判定処理を行い、前記移行条件判定処理により前記移行指示操作が行われていないと判定した場合に、前記異常判定処理を行い、前記移行条件判定処理により前記移行指示操作が行われたと判定した場合に、前記記憶手段における前記設定値の異常有無を判定し、異常が認められた場合に前記設定値の表示値を補正する設定値補正手段を有するものである。
【手続補正５】
【補正対象書類名】明細書
【補正対象項目名】０００８
【補正方法】変更
【補正の内容】
【０００８】
設定受付モードに移行する場合には、設定値が変更される場合があり得るので、その場合には、変更された設定値との整合をとるべく記憶手段における設定値以外の記憶情報をクリアする処理が行われるべきである。このため、設定受付モードへの移行が行われた場合には記憶手段のクリア処理が行われる。よって、移行条件判定処理の前に、異常判定処理を行う必要はない。
一方で、設定受付モードに移行しない場合には、記憶手段の記憶情報に基づくバックアップ復帰処理が行われ得るため、異常判定処理を行うべきである。
上記のように移行条件判定処理を異常判定処理よりも先に行うことで、設定受付モードへの移行指示操作が行われている場合に、移行条件判定処理に先だって無駄に記憶情報の異常判定処理が行われてしまうことの防止が図られ、処理負担の軽減を図ることができる。
また、設定受付モードへの移行指示操作が行われていなければ異常判定処理が行われるので、記憶手段の記憶情報が異常な状態でバックアップ復帰処理が行われることの防止が図られ、不正防止を図ることができる。
さらに、上記の設定値補正手段を設けたことで、異常判定処理よりも先に設定受付モードへの移行条件判定処理を行ったとしても、設定値の表示バグが生じることの防止を図ることができる。
【手続補正６】
【補正対象書類名】明細書
【補正対象項目名】０００９
【補正方法】変更
【補正の内容】
【０００９】
本発明によれば、設定値を操作に基づき設定可能な遊技機において、不正防止を図りつつ処理負担の軽減を図ることができる。また、設定値補正手段を設けたことで、異常判定処理よりも先に設定受付モードへの移行条件判定処理を行ったとしても、設定値の表示バグが生じることの防止を図ることができる。
【手続補正７】
【補正対象書類名】図面
【補正対象項目名】図３１
【補正方法】変更
【補正の内容】
【図３１】
2019092861.tif 000001
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
遊技動作の進行制御を行う制御手段と、
前記制御手段による情報の読み出し及び書き込みが可能とされた記憶手段と、を備え、
前記制御手段は、
遊技者に有利な遊技状態に当選させるか否かの確率に関する設定値を操作に基づき設定する設定手段と、
前記記憶手段における前記設定値を含む記憶情報の異常判定処理を行う異常判定手段と、
設定値の確認操作に基づき、所要の表示手段に現在の前記設定値を表示させる設定確認表示処理を行う設定確認表示手段と、
前記設定値の確認操作の有無を判定する設定確認条件判定処理を行う設定確認判定手段と、を有すると共に、
電源投入に伴う起動時において、前記設定確認条件判定処理よりも先に前記異常判定処理を行う
遊技機。
【手続補正２】
【補正対象書類名】明細書
【補正対象項目名】０００５
【補正方法】変更
【補正の内容】
【０００５】
ここで、上記のように設定値を操作に基づき設定可能とされた遊技機に対しては、設定値を確認表示する機能を与えることが考えられる。
しかしながら、設定値を改竄する不正が行われた場合、正常範囲の値を表示できず、表示バグが生じる虞がある。
【手続補正３】
【補正対象書類名】明細書
【補正対象項目名】０００６
【補正方法】変更
【補正の内容】
【０００６】
本発明は上記事情に鑑み為されたものであり、設定値を操作に基づき設定可能な遊技機において、設定値の確認表示に係る表示バグの発生防止を図ることを目的とする。
【手続補正４】
【補正対象書類名】明細書
【補正対象項目名】０００７
【補正方法】変更
【補正の内容】
【０００７】
本発明に係る遊技機は、遊技動作の進行制御を行う制御手段と、前記制御手段による情報の読み出し及び書き込みが可能とされた記憶手段と、を備え、前記制御手段は、遊技者に有利な遊技状態に当選させるか否かの確率に関する設定値を操作に基づき設定する設定手段と、前記記憶手段における前記設定値を含む記憶情報の異常判定処理を行う異常判定手段と、設定値の確認操作に基づき、所要の表示手段に現在の前記設定値を表示させる設定確認表示処理を行う設定確認表示手段と、前記設定値の確認操作の有無を判定する設定確認条件判定処理を行う設定確認判定手段と、を有すると共に、電源投入に伴う起動時において、前記設定確認条件判定処理よりも先に前記異常判定処理を行うものである。
【手続補正５】
【補正対象書類名】明細書
【補正対象項目名】０００９
【補正方法】変更
【補正の内容】
【０００９】
本発明によれば、設定値を操作に基づき設定可能な遊技機において、設定値の確認表示に係る表示バグの発生防止を図ることができる。
【手続補正６】
【補正対象書類名】図面
【補正対象項目名】図３１
【補正方法】変更
【補正の内容】
【図３１】
2019092862.tif 000001
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
遊技動作の進行制御を行う制御手段と、
前記制御手段による情報の読み出し及び書き込みが可能とされた記憶手段と、を備え、
前記制御手段は、
遊技者に有利な遊技状態に当選させるか否かの確率に関する設定値を操作に基づき設定する設定手段と、
前記記憶手段における前記設定値を含む記憶情報の異常判定処理を行う異常判定手段と、
電源投入に伴う起動時において、前記記憶手段の記憶情報を電源遮断前の状態に復帰可能か否かを判定するバックアップ復帰判定処理を行うバックアップ復帰判定手段と、を有すると共に、
前記バックアップ復帰判定処理よりも先に、前記異常判定処理を行う
遊技機。
【手続補正２】
【補正対象書類名】明細書
【補正対象項目名】０００５
【補正方法】変更
【補正の内容】
【０００５】
ここで、上記のように設定値を操作に基づき設定可能とされた遊技機では、設定値を何らかの手段で改竄する不正が行われる可能性がある。
【手続補正３】
【補正対象書類名】明細書
【補正対象項目名】０００６
【補正方法】変更
【補正の内容】
【０００６】
本発明は上記事情に鑑み為されたものであり、設定値を操作に基づき設定可能な遊技機において、不正防止を図ることを目的とする。
【手続補正４】
【補正対象書類名】明細書
【補正対象項目名】０００７
【補正方法】変更
【補正の内容】
【０００７】
本発明に係る遊技機は、遊技動作の進行制御を行う制御手段と、前記制御手段による情報の読み出し及び書き込みが可能とされた記憶手段と、を備え、前記制御手段は、遊技者に有利な遊技状態に当選させるか否かの確率に関する設定値を操作に基づき設定する設定手段と、前記記憶手段における前記設定値を含む記憶情報の異常判定処理を行う異常判定手段と、電源投入に伴う起動時において、前記記憶手段の記憶情報を電源遮断前の状態に復帰可能か否かを判定するバックアップ復帰判定処理を行うバックアップ復帰判定手段と、を有すると共に、前記バックアップ復帰判定処理よりも先に、前記異常判定処理を行うものである。
【手続補正５】
【補正対象書類名】明細書
【補正対象項目名】０００９
【補正方法】変更
【補正の内容】
【０００９】
本発明によれば、設定値を操作に基づき設定可能な遊技機において、不正防止を図ることができる。
【手続補正６】
【補正対象書類名】図面
【補正対象項目名】図３１
【補正方法】変更
【補正の内容】
【図３１】
2019092865.tif 000001
【手続補正書】
【提出日】令和2年2月5日(2020.2.5)
【手続補正１】
【補正対象書類名】特許請求の範囲
【補正対象項目名】全文
【補正方法】変更
【補正の内容】
【特許請求の範囲】
【請求項１】
遊技動作の進行制御を行う制御手段と、
前記制御手段による情報の読み出し及び書き込みが可能とされた記憶手段と、を備え、
前記制御手段は、
遊技者に有利な遊技状態に当選させるか否かの確率に関する設定値を操作に基づき設定する設定手段と、
前記記憶手段における前記設定値を含む記憶情報の異常判定処理を行う異常判定手段と、
前記記憶手段における少なくとも前記設定値を除いた記憶情報をクリアする記憶情報クリア処理を所定のクリア指示操作に応じて実行するクリア手段と、
前記クリア指示操作の有無を判定するクリア条件判定処理を行うクリア条件判定手段と、を有すると共に、
電源投入に伴う起動時において、前記クリア条件判定処理よりも先に前記異常判定処理を行う
遊技機。
【手続補正２】
【補正対象書類名】明細書
【補正対象項目名】０００５
【補正方法】変更
【補正の内容】
【０００５】
ここで、上記のように設定値を操作に基づき設定可能とされた遊技機では、設定値を何らかの手段で改竄する不正が行われる可能性がある。
【手続補正３】
【補正対象書類名】明細書
【補正対象項目名】０００６
【補正方法】変更
【補正の内容】
【０００６】
本発明は上記事情に鑑み為されたものであり、設定値を操作に基づき設定可能な遊技機において、不正防止を図ることを目的とする。
【手続補正４】
【補正対象書類名】明細書
【補正対象項目名】０００７
【補正方法】変更
【補正の内容】
【０００７】
本発明に係る遊技機は、遊技動作の進行制御を行う制御手段と、前記制御手段による情報の読み出し及び書き込みが可能とされた記憶手段と、を備え、前記制御手段は、遊技者に有利な遊技状態に当選させるか否かの確率に関する設定値を操作に基づき設定する設定手段と、前記記憶手段における前記設定値を含む記憶情報の異常判定処理を行う異常判定手段と、前記記憶手段における少なくとも前記設定値を除いた記憶情報をクリアする記憶情報クリア処理を所定のクリア指示操作に応じて実行するクリア手段と、前記クリア指示操作の有無を判定するクリア条件判定処理を行うクリア条件判定手段と、を有すると共に、電源投入に伴う起動時において、前記クリア条件判定処理よりも先に前記異常判定処理を行うものである。
【手続補正５】
【補正対象書類名】明細書
【補正対象項目名】０００９
【補正方法】変更
【補正の内容】
【０００９】
本発明によれば、設定値を操作に基づき設定可能な遊技機において、不正防止を図ることができる。
【手続補正６】
【補正対象書類名】図面
【補正対象項目名】図３１
【補正方法】変更
【補正の内容】
【図３１】
2019092864.tif 000001
【手続補正書】
【提出日】令和2年11月6日(2020.11.6)
【手続補正１】
【補正対象書類名】特許請求の範囲
【補正対象項目名】全文
【補正方法】変更
【補正の内容】
【特許請求の範囲】
【請求項１】
吸収体と該吸収体の肌対向面側に配された表面シートとを備え、着用者の前後方向に相当する縦方向とこれに直交する横方向とを有する吸収性物品であって、
前記表面シートが肌対向面側に配された第１シートと非肌対向面側に配された第２シートとの積層体を含み、該積層体において両シートが部分的に接合されて複数の接合部が形成され、該第１シートが該接合部以外の部位において該第２シートから着用者の肌側に向かって突出する複数の凸部を形成しており、
前記凸部は、第１凸部及び第２凸部を有し、該第１凸部の高さが該第２凸部の高さよりも高く、
前記表面シートを平面視して、複数の前記第１凸部によって取り囲まれた前記第２凸部を含む第２凸部領域が形成されており、
前記表面シートを平面視して、前記接合部は、前記第２凸部領域の内方に、内方接合部を有している、吸収性物品。
【請求項２】
前記第２凸部領域は、前記第２凸部を複数含んで形成されている、請求項１に記載の吸収性物品。
【請求項３】
前記第２凸部領域を複数有し、複数の該第２凸部領域が、前記縦方向及び前記横方向の少なくとも一方に隣り合って配されている、請求項１又は２に記載の吸収性物品。
【請求項４】
前記表面シートと前記吸収体とが接着剤によって固定されており、
前記表面シートにおいて、該表面シートの前記第２凸部領域に対応する箇所よりも、該第２凸部領域の前記第２凸部を取り囲む前記第１凸部を含む領域に対応する箇所に、前記接着剤が多く配されている、請求項１〜３の何れか１項に記載の吸収性物品。
【請求項５】
前記内方接合部は、前記第１シート及び前記第２シートを貫通する貫通孔を有している、請求項１〜４の何れか１項に記載の吸収性物品。
【請求項６】
複数の前記接合部は、第１接合部を有し、該第１接合部は、前記第２凸部領域内に配される内方接合部と、前記第２凸部領域外に配される外方接合部とを備え、
前記内方接合部及び前記外方接合部は、それぞれ、平面視正方形形状の１つの接合部分で形成されており、各辺が第１方向又は第２方向と一致しており、
複数の前記接合部は、平面視正方形形状に形成された２つの第２接合部分により構成されている第２接合部を有し、
各前記第２接合部分は、それぞれ、その平面視の外形が前記第１接合部と同形同大の平面視正方形形状に形成されており、各辺が第１方向又は第２方向と一致しており、
複数の前記接合部は、平面視長方形形状の１つの接合部分で形成されている第３接合部を有し、該第３接合部は、その長手方向が第１方向に一致し、短手方向が第２方向に一致しており、
前記第１接合部は、前記内方接合部及び前記外方接合部が交互に第１方向に沿って一定のピッチで一列に配された第１接合部列を形成し、
前記第２接合部は、その複数が、第１方向に沿って一定のピッチで一列に配された第２接合部列を形成し、
前記第３接合部は、その複数が、第１方向に沿って一定のピッチで一列に配された第３接合部第１列及び該第３接合部第１列よりも該第１方向に半ピッチずれた第３接合部第２列を形成しており、
前記表面シートには、前記第１接合部列を中心にして、前記第２接合部列、前記第３接合部第１列、前記第２接合部列、前記第３接合部第２列、前記第２接合部列、前記第３接合部第１列、及び前記第２接合部列が第２方向に一定の間隔を空けて配されており、この順で、該第２方向に繰り返し配されている、請求項１〜５の何れか１項に記載の吸収性物品。
【請求項７】
前記第１接合部列を形成している前記第１接合部のピッチは、前記第２接合部列を形成している前記第２接合部の第１方向のピッチと同じになっている、請求項６に記載の吸収性物品。
【請求項８】
前記第３接合部第１列及び前記第３接合部第２列を形成している前記第３接合部の第１方向のピッチは、前記第１接合部列を形成している前記第１接合部の第１方向のピッチよりも長い、請求項６又は７に記載の吸収性物品。
【請求項９】
第１方向において、前記第１接合部の前記内方接合部は、前記第３接合部第１列の前記第３接合部と同位置に形成されており、前記外方接合部は、前記第３接合部第２列の前記第３接合部と同位置に形成されている、請求項６〜８の何れか１項に記載の吸収性物品。
【請求項１０】
第２方向に隣り合う前記第２接合部列の前記第２接合部どうしは、第１方向において同位置に形成されている、請求項６〜９の何れか１項に記載の吸収性物品。
【請求項１１】
第１方向において、該第１方向に隣り合う前記第２接合部どうしの間には、前記第３接合部第１列の前記第３接合部と前記第３接合部第２列の前記第３接合部とが交互に位置して形成されている、請求項６〜１０の何れか１項に記載の吸収性物品。
【請求項１２】
前記表面シートを平面視して、環状に配された６つの前記第１凸部によって取り囲まれた４つの前記第２凸部を含む前記第２凸部領域が形成されている、請求項１〜１１の何れか１項に記載の吸収性物品。
【請求項１３】
第１方向に隣り合う前記第２凸部領域は、一方の該第２凸部領域の内方に配された前記内方接合部と隣り合う、前記第１接合部列を構成する別の第１接合部である前記外方接合部を介して隣り合って配されている、請求項６〜１１の何れか１項に記載の吸収性物品。
【手続補正書】
【提出日】令和2年4月8日(2020.4.8)
【手続補正１】
【補正対象書類名】特許請求の範囲
【補正対象項目名】全文
【補正方法】変更
【補正の内容】
【特許請求の範囲】
【請求項１】
支持体に対して開閉可能に支持される開閉体と、
該開閉体の遊技機裏面側に搭載されて、遊技の制御を行う第１制御手段及び第２制御手段と、
前記開閉体の遊技機裏面側に設けられ、少なくとも前記第１制御手段の遊技機裏面側の一部又は全部を覆う第１保護手段と、
前記支持体に設けられ、少なくとも前記第２制御手段の遊技機裏面側の一部又は全部を覆う第２保護手段と、を備え、
前記第１保護手段の一部が、前記第２保護手段の一部と遊技機裏面方向に重畳して当接するように形成され、
前記支持体は、
複数の板体を組み合わせて形成し、
前記第２保護手段は、
前記板体のいずれか１つに片持ち梁状に取り付けられる
ことを特徴とする遊技機。
【手続補正２】
【補正対象書類名】明細書
【補正対象項目名】０００７
【補正方法】変更
【補正の内容】
【０００７】
この目的を達成するために請求項１記載の遊技機は、支持体に対して開閉体が開閉可能に支持され、開閉体の遊技機裏面側に遊技の制御を行う第１制御手段および第２制御手段が搭載される。そして、開閉体の遊技機裏面側に搭載された第１保護手段により、少なくとも第１制御手段の遊技機裏面側の一部又は全部が覆われる。また、支持体に設けられた第２保護手段により、少なくとも第２制御手段の遊技機裏面側の一部又は全部が覆われる。ここで、第１保護手段の一部が、第２保護手段の一部と遊技機裏面方向に重畳して当接するように形成され、前記支持体は、複数の板体を組み合わせて形成し、前記第２保護手段は、前記板体のいずれか１つに片持ち梁状に取り付けられる。
【手続補正３】
【補正対象書類名】明細書
【補正対象項目名】０００８
【補正方法】変更
【補正の内容】
【０００８】
請求項１記載の遊技機によれば、支持体に対して開閉体が開閉可能に支持され、開閉体の遊技機裏面側に遊技の制御を行う第１制御手段および第２制御手段が搭載される。そして、開閉体の遊技機裏面側に搭載された第１保護手段により、少なくとも第１制御手段の遊技機裏面側の一部又は全部が覆われる。また、支持体に設けられた第２保護手段により、少なくとも第２制御手段の遊技機裏面側の一部又は全部が覆われる。ここで、第１保護手段の一部が、第２保護手段の一部と遊技機裏面方向に重畳して当接するように形成され、前記支持体は、複数の板体を組み合わせて形成し、前記第２保護手段は、前記板体のいずれか１つに片持ち梁状に取り付けられる。これにより、第１制御手段と第２制御手段とをそれぞれ覆う第１保護手段と第２保護手段との隙間をなくし、遊技機裏面側から針金等が遊技機内部に入り込む余地がなくなるので、遊技機の裏面側のセキュリティ性能を向上することができる、という効果がある。また、開閉体に設けられた第１保護手段が、支持体に設けられた第２保護手段と遊技機裏面方向に重畳するように形成されることで、開閉体が支持体から開放された場合であっても、開閉体の第１保護手段と支持体の第２保護手段とが干渉し合わないため、メンテナンス作業等において余分な作業を増やすことなく、遊技機の裏面側のセキュリティ性能を向上することができる、という効果がある。
【手続補正書】
【提出日】令和2年11月2日(2020.11.2)
【手続補正１】
【補正対象書類名】特許請求の範囲
【補正対象項目名】全文
【補正方法】変更
【補正の内容】
【特許請求の範囲】
【請求項１】
始動条件の成立に基づき識別情報を変動表示させる変動表示ゲームを実行可能な遊技制御手段を備え、前記変動表示ゲームの停止結果が特別結果となる場合に、遊技者にとって有利な特別遊技状態を発生させる遊技機において、
前記特別遊技状態において、遊技球が入賞不可能な閉状態から遊技球が入賞可能な開放状態に変換可能な変動入賞装置と、
遊技条件に関する設定値を設定可能な設定手段と、を備え、
前記遊技制御手段は、
前記変動表示ゲームの停止結果が第１特別結果となる場合に、第１特別遊技状態を発生させ、
前記変動表示ゲームの停止結果が第２特別結果となる場合に、前記第１特別遊技状態よりも遊技者が獲得可能な遊技価値が少ない第２特別遊技状態を発生させ、
前記変動表示ゲームの停止結果が前記第２特別結果となる確率は、前記設定値に応じて異なることを特徴とする遊技機。
【手続補正２】
【補正対象書類名】明細書
【補正対象項目名】０００４
【補正方法】削除
【補正の内容】
【手続補正３】
【補正対象書類名】明細書
【補正対象項目名】０００６
【補正方法】変更
【補正の内容】
【０００６】
本発明の代表的な一形態では、始動条件の成立に基づき識別情報を変動表示させる変動表示ゲームを実行可能な遊技制御手段を備え、前記変動表示ゲームの停止結果が特別結果となる場合に、遊技者にとって有利な特別遊技状態を発生させる遊技機において、前記特別遊技状態において、遊技球が入賞不可能な閉状態から遊技球が入賞可能な開放状態に変換可能な変動入賞装置と、遊技条件に関する設定値を設定可能な設定手段と、を備え、前記遊技制御手段は、前記変動表示ゲームの停止結果が第１特別結果となる場合に、第１特別遊技状態を発生させ、前記変動表示ゲームの停止結果が第２特別結果となる場合に、前記第１特別遊技状態よりも遊技者が獲得可能な遊技価値が少ない第２特別遊技状態を発生させ、前記変動表示ゲームの停止結果が前記第２特別結果となる確率は、前記設定値に応じて異なる。
【手続補正書】
【提出日】令和2年10月14日(2020.10.14)
【手続補正１】
【補正対象書類名】特許請求の範囲
【補正対象項目名】全文
【補正方法】変更
【補正の内容】
【特許請求の範囲】
【請求項１】
識別情報を変動表示させる変動表示ゲームを実行可能な制御手段を備える遊技機において、
遊技条件に関する設定値を設定可能な設定手段を備え、
前記制御手段は、
当該遊技機外に設けられた外部装置に外部情報として所定の信号を出力可能であり、
前記設定手段によって前記設定値を設定可能な設定可能状態にされたことに対応して、前記所定の信号の出力を行うことを特徴とする遊技機。
【請求項２】
前記変動表示ゲームの実行権利となる始動記憶を記憶可能な始動記憶手段と、
所定の表示装置において表示される始動記憶表示領域に、前記始動記憶に対応する始動記憶表示を表示する制御を実行可能な始動記憶表示制御手段と、を備えることを特徴とする請求項１に記載の遊技機。
【手続補正２】
【補正対象書類名】明細書
【補正対象項目名】０００１
【補正方法】変更
【補正の内容】
【０００１】
本発明は、識別情報を変動表示させる変動表示ゲームを実行可能な制御手段を備える遊技機に関する。
【手続補正３】
【補正対象書類名】明細書
【補正対象項目名】０００４
【補正方法】削除
【補正の内容】
【手続補正４】
【補正対象書類名】明細書
【補正対象項目名】０００５
【補正方法】変更
【補正の内容】
【０００５】
本発明は、遊技機において、設定可能状態中であることを容易に把握することができるようにすることを目的とする。
【手続補正５】
【補正対象書類名】明細書
【補正対象項目名】０００６
【補正方法】変更
【補正の内容】
【０００６】
本発明の代表的な一形態では、
識別情報を変動表示させる変動表示ゲームを実行可能な制御手段を備える遊技機において、
遊技条件に関する設定値を設定可能な設定手段と、を備え、
前記制御手段は、
当該遊技機外に設けられた外部装置に外部情報として所定の信号を出力可能であり、
前記設定手段によって前記設定値を設定可能な設定可能状態にされたことに対応して、前記所定の信号の出力を行う。
【手続補正６】
【補正対象書類名】明細書
【補正対象項目名】０００７
【補正方法】変更
【補正の内容】
【０００７】
本発明の一形態によれば、遊技機において、設定可能状態中であることを容易に把握することができる。
【手続補正書】
【提出日】令和1年11月22日(2019.11.22)
【手続補正１】
【補正対象書類名】明細書
【補正対象項目名】０００４
【補正方法】変更
【補正の内容】
【０００４】
遊技機における制御基板は、不正対策の観点から実装部品の確認が容易であることが求められる。また、遊技機は、不正対策の観点から制御基板をケースに収容するため、制御基板上の部品の確認が容易でない場合があった。
【手続補正２】
【補正対象書類名】明細書
【補正対象項目名】０００５
【補正方法】変更
【補正の内容】
【０００５】
１つの側面では、本発明は、部品の確認容易性を向上する遊技機を提供することを目的とする。
【手続補正３】
【補正対象書類名】明細書
【補正対象項目名】０００６
【補正方法】変更
【補正の内容】
【０００６】
上記目的を達成するために、以下に示すような、遊技機が提供される。遊技機は、集積回路とコネクタを実装する制御基板と、部品実装面を視認可能にして制御基板を収容する収容ケースと、を備える。収容ケースは、制御基板の部品実装面を覆う第１ケース部と、第１ケース部に係合する第２ケース部と、第１ケース部と第２ケース部との係合関係を封止する封止部と、を含む。制御基板は、制御基板の所定の一辺近傍にコネクタを実装するとともに、所定の一辺からの距離が順に長くなるように、コネクタ、受動素子、集積回路を実装する。
【手続補正４】
【補正対象書類名】明細書
【補正対象項目名】０００７
【補正方法】変更
【補正の内容】
【０００７】
１態様によれば、遊技機において、部品の確認容易性を向上する。
【手続補正５】
【補正対象書類名】明細書
【補正対象項目名】０４９６
【補正方法】変更
【補正の内容】
【０４９６】
図５７（１）に示す遊技制御基板５１０は、所要数のコネクタ５３０ａ，５３０ｂを部品実装面に備えるとともに、部品５４０として所要数の抵抗５４１，５４２を所要の向きで部品実装面に備える。遊技制御基板５１０は、基板ボックス５２０に収容されて、封止部５２５で封止シール５２５２によって封止される。また、基板ボックス５２０は、その表面に管理番号シール５２０７を貼付する。管理番号シール５２０７は、ベースを透明素材として部品実装面を確認容易にしながら、所要の情報を表示する。たとえば、管理番号シール５２０７は、所要の情報として管理コード５２０８を表示する。たとえば、管理コード５２０８は、２次元コード（たとえば、ＱＲコード（登録商標）等）を表示する。管理コード５２０８は、パターン中に現れるアライメントパターンを右下側に表示する表示態様によって管理コード５２０８の正位置を明示する。たとえば、管理コード５２０８は、図示下側を下に見る向きを正位置（管理コード基準）とする。
【手続補正６】
【補正対象書類名】特許請求の範囲
【補正対象項目名】全文
【補正方法】変更
【補正の内容】
【特許請求の範囲】
【請求項１】
集積回路とコネクタを実装する制御基板と、部品実装面を視認可能にして前記制御基板を収容する収容ケースと、を備える遊技機であって、
前記収容ケースは、
前記制御基板の部品実装面を覆う第１ケース部と、前記第１ケース部に係合する第２ケース部と、前記第１ケース部と前記第２ケース部との係合関係を封止する封止部と、を含み、
前記制御基板は、
当該制御基板の所定の一辺近傍に前記コネクタを実装するとともに、前記所定の一辺からの距離が順に長くなるように、前記コネクタ、受動素子、前記集積回路を実装する、
遊技機。
【手続補正書】
【提出日】令和2年8月27日(2020.8.27)
【手続補正１】
【補正対象書類名】特許請求の範囲
【補正対象項目名】全文
【補正方法】変更
【補正の内容】
【特許請求の範囲】
【請求項１】
浴槽（１）内の湯水に浮かぶ本体ケース（８）と、本体ケース（８）に設けられて湯水
に浸漬した状態で浴槽（１）の内周面（１ａ）を洗浄する洗浄ブラシ（１１）と、洗浄ブ
ラシ（１１）を回転駆動させるブラシ駆動構造（１３）と、浴槽（１）内の湯水を排水し
て湯水の液位制御を行う排水構造（１４）とを備えることを特徴とする浴槽洗浄装置。
【請求項２】
排水構造（１４）は、湯水を加圧送給するポンプ（４８）と、ポンプ（４８）を駆動す
るモーター（４９）と、ポンプ（４８）で加圧された湯水を浴槽（１）の外へ排出する排
水手段（５０）とを含み、
排水手段（５０）が排水ホース（５６）で構成されており、
排水ホース（５６）の一端が、ポンプ（４８）の吐出通路（５４）に接続され、排水ホ
ース（５６）の他端が浴槽（１）の外に位置している、請求項１に記載の浴槽洗浄装置。
【請求項３】
排水ホース（５６）の中途部に、伸縮部（６５）が形成されている請求項２に記載の浴
槽洗浄装置。
【請求項４】
ポンプ（４８）の吐出通路（５４）の終端にロータリージョイント（５５）が接続され
ており、排水ホース（５６）の一端がロータリージョイント（５５）の出口に接続されて
いる請求項２、または３に記載の浴槽洗浄装置。
【請求項５】
浴槽（１）に設けられたホース保持具（６６）に、排水ホース（５６）の中途部が保持
されている請求項２から４のいずれかひとつに記載の浴槽洗浄装置。
【請求項６】
排水構造（１４）は、湯水を加圧送給するポンプ（４８）と、ポンプ（４８）を駆動す
るモーター（４９）と、ポンプ（４８）で加圧された湯水を浴槽の外へ排出する排水手段
（５０）とを含み、
排水手段（５０）が排水ノズル（１０１）で構成されており、本体ケース（８）に設け
たポンプ（４８）の吐出通路（５４）に排水ノズル（１０１）が接続されている、請求項
１に記載の浴槽洗浄装置。
【請求項７】
湯水の液位を検知する液位センサー（１０２）と、該液位センサー（１０２）による検
知結果に基づいてブラシ駆動構造（１３）と排水構造（１４）の作動状態を制御する制御
部（１７）とを備えている、請求項１から６のいずれかひとつに記載の浴槽洗浄装置。
【請求項８】
本体ケース（８）に少なくともひとつの洗浄ブラシ（１１）が配置されて、洗浄ブラシ
（１１）の上周面が、湯水の液面の外に露出させてあり、
洗浄ブラシ（１１）が浴槽（１）の内周面（１ａ）を洗浄している状態において、洗浄
ブラシ（１１）の回転動作に伴う推進力により、洗浄中の洗浄ブラシ（１１）が浴槽（１
）の内周面（１ａ）に押付けられるようになっている請求項１から６のいずれかひとつに
記載の浴槽洗浄装置。
【請求項９】
本体ケース（８）の対向辺部に複数の洗浄ブラシ（１１）が配置されており、これら洗
浄ブラシ（１１）の上周面は湯水の液面の外に露出するようになっており、
いずれか一つの洗浄ブラシ（１１）が浴槽（１）の内周面（１ａ）を洗浄している状態
において、残る洗浄ブラシ（１１）の回転動作に伴う推進力により、洗浄中の洗浄ブラシ
（１１）が浴槽（１）の内周面（１ａ）に押付けられるようになっている請求項１から８
のいずれかひとつに記載の浴槽洗浄装置。
【請求項１０】
本体ケース（８）の隣接辺部に複数の洗浄ブラシ（１１）が配置されており、これら洗
浄ブラシ（１１）の上周面は湯水の液面の外に露出するようになっており、
洗浄ブラシ（１１）のうちのひとつが浴槽（１）の内周面（１ａ）を洗浄している状態
において、隣接する洗浄ブラシ（１１）の回転動作に伴う推進力により、本体ケース（８
）が浴槽（１）の内周面（１ａ）に沿って周回移動されるようになっている請求項１から
９のいずれかひとつに記載の浴槽洗浄装置。
【請求項１１】
洗浄ブラシ（１１）のブラシ軸（２１）に、上周面が湯水の液面の外に露出されて、ブ
ラシ軸（２１）と直交する向きの推進力を発生させる推進輪（２４）が固定されている、
請求項１から１０のいずれかひとつに記載の浴槽洗浄装置。
【手続補正書】
【提出日】令和2年11月13日(2020.11.13)
【手続補正１】
【補正対象書類名】特許請求の範囲
【補正対象項目名】全文
【補正方法】変更
【補正の内容】
【特許請求の範囲】
【請求項１】
原稿台に載置された原稿を読み取る読取手段と、
原稿が載置される原稿トレイを有し、前記読取手段によって前記原稿トレイ上の原稿を読み取るために前記原稿トレイに載置された原稿を給送する原稿給送手段と、
画像形成条件に基づき制御され、前記読取手段の読取結果に基づきシートに画像を形成する画像形成手段と、
前記画像形成手段にテストパターンを複数のシートに形成させ、前記読取手段に前記複数のシートに形成された前記テストパターンを読み取らせ、前記テストパターンの読取結果に基づき前記画像形成条件を生成する制御手段と、を有し、
前記画像形成手段は、前記複数のシートのうちの第一シートに第一テストパターンを形成し、
前記画像形成手段は、前記第一シートに前記第一テストパターンが形成された後に、前記複数のシートのうちの第二シートに第二テストパターンを形成し、
前記原稿給送手段により給送された前記複数のシート上の前記テストパターンを前記読取手段が読み取る第一読取モードが実行される場合に、前記制御手段は、前記第一シートに前記第一テストパターンを形成し、前記原稿トレイに載置された前記第一シートの前記第一テストパターンが前記読取手段によって読み取られる前に、前記第二シートに前記第二テストパターンを形成するよう前記画像形成手段を制御し、
前記原稿給送手段が前記複数のシートを前記読取手段に給送することなく、前記原稿台に載置された前記複数のシート上の前記テストパターンを前記読取手段が読み取る第二読取モードが実行される場合に、前記制御手段は、前記読取手段による前記第一シートの前記第一テストパターンの読み取りが開始された後に、前記第二シートに前記第二テストパターンを形成するよう前記画像形成手段を制御する、ことを特徴とする画像形成装置。
【請求項２】
前記制御手段は、前記複数のシートに関するユーザ指示情報を受け取り、前記ユーザ指示情報に基づき前記第一読取モードと前記第二読取モードとのうちから読取モードを選択することを特徴とする請求項１に記載の画像形成装置。
【請求項３】
前記ユーザ指示情報は前記シートの種類を含むことを特徴とする請求項２に記載の画像形成装置。
【請求項４】
前記ユーザ指示情報は前記シートの坪量を含むことを特徴とする請求項２に記載の画像形成装置。
【請求項５】
前記ユーザ指示情報は前記シートのサイズを含むことを特徴とする請求項２に記載の画像形成装置。
【請求項６】
前記ユーザ指示情報は前記シートに対するコーティングの有無を含むことを特徴とする請求項２に記載の画像形成装置。
【請求項７】
前記ユーザ指示情報は再生紙か否かを含むことを特徴とする請求項２に記載の画像形成装置。
【請求項８】
前記画像形成条件は前記画像形成手段によって形成される画像の階調特性に対応していることを特徴とする請求項１ないし７のいずれか一項に記載の画像形成装置。
【請求項９】
変換条件に基づき画像データを変換する変換手段をさらに有し、
前記画像形成手段は、前記変換手段により変換された画像データに基づき前記画像を形成し、
前記制御手段は、前記読取結果に基づき前記画像形成条件として前記変換条件を生成することを特徴とする請求項１ないし８のいずれか一項に記載の画像形成装置。
【請求項１０】
前記変換条件は、第一変換条件と、当該第一変換条件とは異なる第二変換条件とを含み、
前記制御手段は、前記第一テストパターンの読取結果に基づき前記第一変換条件を作成し、前記第二テストパターンの読取結果に基づき前記第二変換条件を作成することを特徴とする請求項９に記載の画像形成装置。
【手続補正２】
【補正対象書類名】明細書
【補正対象項目名】０００５
【補正方法】変更
【補正の内容】
【０００５】
本発明は、たとえば、
原稿台に載置された原稿を読み取る読取手段と、
原稿が載置される原稿トレイを有し、前記読取手段によって前記原稿トレイ上の原稿を読み取るために前記原稿トレイに載置された原稿を給送する原稿給送手段と、
画像形成条件に基づき制御され、前記読取手段の読取結果に基づきシートに画像を形成する画像形成手段と、
前記画像形成手段にテストパターンを複数のシートに形成させ、前記読取手段に前記複数のシートに形成された前記テストパターンを読み取らせ、前記テストパターンの読取結果に基づき前記画像形成条件を生成する制御手段と、を有し、
前記画像形成手段は、前記複数のシートのうちの第一シートに第一テストパターンを形成し、
前記画像形成手段は、前記第一シートに前記第一テストパターンが形成された後に、前記複数のシートのうちの第二シートに第二テストパターンを形成し、
前記原稿給送手段により給送された前記複数のシート上の前記テストパターンを前記読取手段が読み取る第一読取モードが実行される場合に、前記制御手段は、前記第一シートに前記第一テストパターンを形成し、前記原稿トレイに載置された前記第一シートの前記第一テストパターンが前記読取手段によって読み取られる前に、前記第二シートに前記第二テストパターンを形成するよう前記画像形成手段を制御し、
前記原稿給送手段が前記複数のシートを前記読取手段に給送することなく、前記原稿台に載置された前記複数のシート上の前記テストパターンを前記読取手段が読み取る第二読取モードが実行される場合に、前記制御手段は、前記読取手段による前記第一シートの前記第一テストパターンの読み取りが開始された後に、前記第二シートに前記第二テストパターンを形成するよう前記画像形成手段を制御する、ことを特徴とする。
【手続補正３】
【補正対象書類名】明細書
【補正対象項目名】発明の名称
【補正方法】変更
【補正の内容】
【発明の名称】画像形成装置
【手続補正４】
【補正対象書類名】図面
【補正対象項目名】図２
【補正方法】変更
【補正の内容】
【図２】
2019092034.tif 000001
【手続補正書】
【提出日】令和2年10月9日(2020.10.9)
【手続補正１】
【補正対象書類名】特許請求の範囲
【補正対象項目名】全文
【補正方法】変更
【補正の内容】
【特許請求の範囲】
【請求項１】
動画像を符号化する画像符号化装置であって、
符号化処理にてワークメモリとして利用するメモリと、
動画像を構成するフレームを順に入力する入力手段と、
入力したフレームを、設定された圧縮率に従って符号化し、当該符号化で得た符号化データを前記メモリに格納する第１の符号化手段と、
前記第１の符号化手段に設定する前記圧縮率を決定する決定手段と、
前記メモリに格納された前記第１の符号化手段による符号化データを復号する復号手段と、
前記復号手段及び前記メモリを利用して、前記動画像の符号化データを生成する第２の符号化手段とを有し、
前記決定手段は、
前記第２の符号化手段が符号化する際の、各フレームの、当該フレームを符号化するために他のフレームを参照する回数と、他のフレームを符号化するために参照される回数に基づき、前記圧縮率を決定することを特徴とする画像符号化装置。
【請求項２】
前記決定手段は、前記参照される回数が多いほど前記圧縮率が低くなるように決定することを特徴とする請求項１に記載の画像符号化装置。
【請求項３】
前記決定手段は、前記参照する回数が多いほど前記圧縮率が高くなるように決定することを特徴とする請求項１または２に記載の画像符号化装置。
【請求項４】
前記第１の符号化手段は、画素単位の予測符号化であることを特徴とする請求項１乃至３のいずれか１項に記載の画像符号化装置。
【請求項５】
符号化処理にてワークメモリとして利用するメモリを用いて動画像を符号化する画像符号化装置の制御方法であって、
動画像を構成するフレームを順に入力する入力工程と、
入力したフレームを、設定された圧縮率に従って符号化し、当該符号化で得た符号化データを前記メモリに格納する第１の符号化工程と、
前記第１の符号化工程に設定する前記圧縮率を決定する決定工程と、
前記メモリに格納された前記第１の符号化工程による符号化データを復号する復号工程と、
前記復号工程を利用すると共に、前記メモリを利用して、前記動画像の符号化データを生成する第２の符号化工程とを有し、
前記決定工程は、
前記第２の符号化工程が符号化する際の、各フレームの、当該フレームを符号化するために他のフレームを参照する回数と、他のフレームを符号化するために参照される回数に基づき、前記圧縮率を決定する
ことを特徴とする画像符号化装置の制御方法。
【請求項６】
コンピュータが読み込み実行することで、前記コンピュータに、請求項５に記載の方法の各工程を実行させるためのプログラム。
【手続補正書】
【提出日】令和1年12月26日(2019.12.26)
【手続補正１】
【補正対象書類名】特許請求の範囲
【補正対象項目名】全文
【補正方法】変更
【補正の内容】
【特許請求の範囲】
【請求項１】
芯線と前記芯線を覆う絶縁被覆とを含む電線と、
主面上に前記電線が配設されており、前記主面において前記電線と接触する部分が前記電線の前記絶縁被覆と溶着されて電線固定部に形成されている樹脂製のシート材と、
を備え、
前記シート材のうち前記電線固定部における最も大きい厚み寸法が、前記シート材のうち前記電線が未配設の部分における厚み寸法よりも大寸に形成されており、
前記電線固定部において、前記芯線と前記シート材とが絶縁されている、ワイヤーハーネス。
【請求項２】
芯線と前記芯線を覆う絶縁被覆とを含む電線と、
主面上に前記電線が配設されており、前記主面において前記電線と接触する部分が前記電線の前記絶縁被覆と溶着されて電線固定部に形成されている樹脂製のシート材と、
を備え、
前記シート材のうち前記電線固定部における最も大きい厚み寸法が、前記シート材のうち前記電線が未配設の部分における厚み寸法よりも大寸に形成されており、
前記シート材の前記主面において前記電線の側方部分が凹んでいる、ワイヤーハーネス。
【請求項３】
請求項１又は請求項２に記載のワイヤーハーネスであって、
前記シート材の前記主面において前記電線の側方部分に、前記電線から離れるに従って厚み方向に沿った高さが下がる傾斜面が形成されている、ワイヤーハーネス。
【請求項４】
（ａ）芯線と前記芯線を覆う絶縁被覆とを含む電線を、シート材において樹脂製の電線配設部に配設しつつ、前記電線と前記電線配設部とを挟持部材によって挟持する工程と、
（ｂ）前記工程（ａ）の後で、前記シート材のうち前記電線が未配設の部分を前記電線配設部に寄せつつ、前記芯線と前記シート材とが絶縁された状態となるように前記絶縁被覆と前記電線配設部とを溶着する工程と、
を備える、ワイヤーハーネスの製造方法。
【手続補正２】
【補正対象書類名】明細書
【補正対象項目名】０００７
【補正方法】変更
【補正の内容】
【０００７】
上記課題を解決するため、第１の態様に係るワイヤーハーネスは、芯線と前記芯線を覆う絶縁被覆とを含む電線と、主面上に前記電線が配設されており、前記主面において前記電線と接触する部分が前記電線の前記絶縁被覆と溶着されて電線固定部に形成されている樹脂製のシート材と、を備え、前記シート材のうち前記電線固定部における最も大きい厚み寸法が、前記シート材のうち前記電線が未配設の部分における厚み寸法よりも大寸に形成されており、前記電線固定部において、前記芯線と前記シート材とが絶縁されている。
【手続補正３】
【補正対象書類名】明細書
【補正対象項目名】０００８
【補正方法】変更
【補正の内容】
【０００８】
第２の態様に係るワイヤーハーネスは、芯線と前記芯線を覆う絶縁被覆とを含む電線と、主面上に前記電線が配設されており、前記主面において前記電線と接触する部分が前記電線の前記絶縁被覆と溶着されて電線固定部に形成されている樹脂製のシート材と、を備え、前記シート材のうち前記電線固定部における最も大きい厚み寸法が、前記シート材のうち前記電線が未配設の部分における厚み寸法よりも大寸に形成されており、前記シート材の前記主面において前記電線の側方部分が凹んでいる。
【手続補正４】
【補正対象書類名】明細書
【補正対象項目名】００１０
【補正方法】変更
【補正の内容】
【００１０】
第４の態様に係るワイヤーハーネスの製造方法は、（ａ）芯線と前記芯線を覆う絶縁被覆とを含む電線を、シート材において樹脂製の電線配設部に配設しつつ、前記電線と前記電線配設部とを挟持部材によって挟持する工程と、（ｂ）前記工程（ａ）の後で、前記シート材のうち前記電線が未配設の部分を前記電線配設部に寄せつつ、前記芯線と前記シート材とが絶縁された状態となるように前記絶縁被覆と前記電線配設部とを溶着する工程と、を備える。
【手続補正５】
【補正対象書類名】明細書
【補正対象項目名】００９０
【補正方法】変更
【補正の内容】
【００９０】
なお、上記実施形態及び各変形例で説明した各構成は、相互に矛盾しない限り適宜組み合わせることができる。
本明細書は下記開示を含む。
第１の態様に係るワイヤーハーネスは、芯線と前記芯線を覆う絶縁被覆とを含む電線と、主面上に前記電線が配設されており、前記主面において前記電線と接触する部分が前記電線の前記絶縁被覆と溶着されて電線固定部に形成されている樹脂製のシート材と、を備え、前記シート材のうち前記電線固定部における最も大きい厚み寸法が、前記シート材のうち前記電線が未配設の部分における厚み寸法よりも大寸に形成されている。
第２の態様に係るワイヤーハーネスは、第１の態様に係るワイヤーハーネスであって、前記シート材の前記主面において前記電線の側方部分が凹んでいる。
第３の態様に係るワイヤーハーネスは、第１又は第２の態様に係るワイヤーハーネスであって、前記シート材の前記主面において前記電線の側方部分に、前記電線から離れるに従って厚み方向に沿った高さが下がる傾斜面が形成されている。
第４の態様に係るワイヤーハーネスの製造方法は、（ａ）芯線と前記芯線を覆う絶縁被覆とを含む電線を、シート材において樹脂製の電線配設部に配設しつつ、前記電線と前記電線配設部とを挟持部材によって挟持する工程と、（ｂ）前記工程（ａ）の後で、前記シート材のうち前記電線が未配設の部分を前記電線配設部に寄せつつ、前記絶縁被覆と前記電線配設部とを溶着する工程と、を備える。
各態様によると、全体に厚みの薄いシート材を用いつつ、電線固定部に必要な厚みを得ることができ、もってワイヤーハーネスの質量増加の抑制を図ることができる。
第２の態様によると、シート材のうち電線の側方部分において凹んだ部分が電線固定部に寄せられることによって、電線固定部を大きくかさ上げしやすい。
第３の態様によると、シート材のうち電線の側方部分が電線固定部に寄せられやすくなる。
第４の態様によると、溶着前に一様な厚みを有するシート材を用いる場合でも、溶着後の電線固定部の厚みを周囲の厚みよりも厚くすることができる。
【手続補正書】
【提出日】令和2年7月9日(2020.7.9)
【手続補正１】
【補正対象書類名】特許請求の範囲
【補正対象項目名】全文
【補正方法】変更
【補正の内容】
【特許請求の範囲】
【請求項１】
回路パターンを有する絶縁基板と、
前記回路パターンの上に設けられた半導体素子と、
前記絶縁基板の上で前記半導体素子を囲むケースと、
前記ケースの内側と外側を電気的に接続する外部端子と、
前記回路パターン又は前記半導体素子と前記外部端子の内端部とを電気的に接続する内部配線と、
前記ケースの内側で前記半導体素子及び前記内部配線を封止する封止樹脂と、
前記封止樹脂の上面を覆う蓋とを備え、
前記内部配線は、過電流により溶断する溶断部を有し、
前記蓋は、前記封止樹脂の前記上面との間に空隙を確保しつつ前記溶断部の上方を覆う拡散防止部を有し、前記拡散防止部以外で前記封止樹脂の前記上面に密着固定されていることを特徴とする半導体パッケージ。
【請求項２】
前記溶断部は前記封止樹脂に埋没しており、
前記溶断部の上の前記封止樹脂の厚みは前記溶断部の径の４倍よりも小さいことを特徴とする請求項１に記載の半導体パッケージ。
【請求項３】
前記溶断部は前記封止樹脂から露出していることを特徴とする請求項１に記載の半導体パッケージ。
【請求項４】
前記拡散防止部は、前記蓋の一部を上方に突出させた屈曲部であることを特徴とする請求項１〜３の何れか１項に記載の半導体パッケージ。
【請求項５】
前記拡散防止部は、前記蓋の下面に設けられた筒状部であることを特徴とする請求項１〜３の何れか１項に記載の半導体パッケージ。
【請求項６】
前記外部端子の前記内部配線との接合面が、前記封止樹脂の前記上面より上に配置され、前記封止樹脂から露出していることを特徴とする請求項３に記載の半導体パッケージ。
【請求項７】
前記内部配線はボンディングワイヤであることを特徴とする請求項１〜６の何れか１項に記載の半導体パッケージ。
【請求項８】
前記封止樹脂はエポキシ系樹脂と無機剤のフィラーを有することを特徴とする請求項１〜７の何れか１項に記載の半導体パッケージ。
【請求項９】
前記半導体素子はワイドバンドギャップ半導体によって形成されていることを特徴とする請求項１〜８の何れか１項に記載の半導体パッケージ。
【手続補正２】
【補正対象書類名】明細書
【補正対象項目名】０００６
【補正方法】変更
【補正の内容】
【０００６】
本発明に係る半導体パッケージは、回路パターンを有する絶縁基板と、前記回路パターンの上に設けられた半導体素子と、前記絶縁基板の上で前記半導体素子を囲むケースと、前記ケースの内側と外側を電気的に接続する外部端子と、前記回路パターン又は前記半導体素子と前記外部端子の内端部とを電気的に接続する内部配線と、前記ケースの内側で前記半導体素子及び前記内部配線を封止する封止樹脂と、前記封止樹脂の上面を覆う蓋とを備え、前記内部配線は、過電流により溶断する溶断部を有し、前記蓋は、前記封止樹脂の前記上面との間に空隙を確保しつつ前記溶断部の上方を覆う拡散防止部を有し、前記拡散防止部以外で前記封止樹脂の前記上面に密着固定されていることを特徴とする。
【手続補正書】
【提出日】令和1年11月21日(2019.11.21)
【手続補正１】
【補正対象書類名】特許請求の範囲
【補正対象項目名】全文
【補正方法】変更
【補正の内容】
【特許請求の範囲】
【請求項１】
プロセッサが、一のニューラルネットワークからネットワーク構造の異なる別のニューラルネットワークを生成することと、
生成された前記別のニューラルネットワークの評価結果が、前記一のニューラルネットワークの評価結果を上回る場合、前記別のニューラルネットワークをパレート最適解として更新することと、
を含む、
情報処理方法。
【請求項２】
前記評価結果は、演算量または誤差のうち少なくともいずれか一方を含み、
前記パレート最適解として更新することは、前記演算量または誤差のいずれか一方を小さくすることをさらに含む、
請求項１に記載の情報処理方法。
【請求項３】
前記別のニューラルネットワークを生成することは、遺伝的操作により前記別のニューラルネットワークを生成すること、をさらに含み、
前記遺伝的操作は、突然変異または交叉のうち少なくとも一方を含む、
請求項１または請求項２に記載の情報処理方法。
【請求項４】
前記パレート最適解として更新することは、事前の誤差予測に基づいて取得した別のニューラルネットワークの評価結果と前記一のニューラルネットワークの評価結果とを比較すること、をさらに含む、
請求項１乃至請求項３の何れか１項に記載の情報処理方法。
【請求項５】
前記パレート最適解として更新された前記別のニューラルネットワークを、前記一のニューラルネットワークとして新たな別のニューラルネットワークを生成すること、
をさらに含む、
請求項１乃至請求項４の何れか１項に記載の情報処理方法。
【請求項６】
ユーザによるニューラルネットワークの指定を受け付ける入力部と、
評価済のニューラルネットワークに係るパレート最適解の提示を制御する制御部と、
を備え、
前記制御部は、前記ユーザにより指定されたニューラルネットワークから生成された別のニューラルネットワークの評価結果に基づいて更新されるパレート最適解を提示する、
情報処理装置。